【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
進行性キャビティ伝搬ポンプであって、
少なくとも部分的に弾性素材から構成された本体と、
導入ポートおよび排出ポートであって、それぞれ前記本体に接続された導入ポートおよび排出ポートと、
前記本体内に形成されかつ前記導入ポートと前記排出ポートとの間で延在する流路であって、この流路の少なくとも一部は常時閉塞されており、前記ポンプが自由状態コンディションにあるときには前記導入ポートは前記排出ポートと流体的に接続されない流路と、
前記流路の前記常時閉塞部分内にキャビティを形成するために前記本体を連続的に変形させるための手段であって、前記キャビティは前記導入ポートと流体連通状態となり、これによって、前記キャビティ内に前記導入ポートから流体の塊を引き込み、そして前記キャビティおよびその中に収容された前記流体の塊を前記排出ポートに向かって伝搬させる手段と、
を具備してなることを特徴とする進行性キャビティ伝搬ポンプ。
【請求項２】
前記本体は、
熱可塑性素材からなるフレームと、
前記フレーム上にオーバーモールドされた弾性部材と、を具備してなることを特徴とする請求項１に記載の進行性キャビティ伝搬ポンプ。
【請求項３】
前記本体内に配置された第１の開放管路をさらに具備してなり、前記第１の開放管路は近位および遠位端部を有しており、
前記流路は、前記導入ポートの近傍に配置された近位端部と、前記第１の開放管路の近位端部の近傍に配置された遠位端部と、を有する第１の常時閉塞流路を具備してなり、
前記第１の開放管路の前記遠位端部は、前記排出ポートの近傍に配置されていることを特徴とする請求項１に記載の進行性キャビティ伝搬ポンプ。
【請求項４】
近位端部および遠位端部を有する第２の常時閉塞流路であって、前記遠位端部は前記排出ポートの近傍に配置されている第２の常時閉塞流路と、
前記本体内に配置されると共に近位端部および遠位端部を有する第２の開放管路であって、前記第２の開放管路の前記近位端部は前記導入ポートの近傍に配置されており、かつ、前記遠位端部は前記第２の常時閉塞流路の前記近位端部の近傍に配置されている第２の開放管路と、をさらに具備してなることを特徴とする請求項３に記載の進行性キャビティ伝搬ポンプ。
【請求項５】
前記本体は静止構造体に配設されるよう構成されており、前記本体はそれ自体に形成された中央配置孔を備え、
前記作動デバイスは、前記孔内に配置された被駆動軸を含み、
前記キャビティは、前記第１の常時閉塞流路内に配置された第１のキャビティを具備してなり、
前記被駆動軸は前記ポンプの動作中に前記孔に対してオフセットした円運動で回転し、前記被駆動軸の回転の第１の部分の間は前記第１のキャビティが形成されると共に、その中に収容された前記流体の塊と共に前記排出ポートへと伝搬させられ、かつ、前記被駆動軸の回転の第２の部分の間は第２のキャビティが前記第２の常時閉塞流路内に形成され、前記第２のキャビティ内に流体の第２の塊を引き込み、そして前記第２のキャビティおよびその中に収容された流体の前記第２の塊は前記排出ポートへと伝搬させられるようになっていることを特徴とする請求項４に記載の進行性キャビティ伝搬ポンプ。
【請求項６】
前記フレームは、第１の熱可塑性素材からなる外部フレームを具備してなり、前記弾性部材は前記外部フレーム上にオーバーモールドされており、
前記フレームはさらに、第２の熱可塑性素材からなる内部フレームを具備してなり、前記内部フレームは前記弾性部材と係合していることを特徴とする請求項２に記載の進行性キャビティ伝搬ポンプ。
【請求項７】
前記流路は常時閉塞されており、前記弾性部材と外部フレームとの間に配置されており、かつ、前記導入ポートと前記排出ポートとの間の弧状経路に沿って延在していることを特徴とする請求項６に記載の進行性キャビティ伝搬ポンプ。
【請求項８】
前記外部フレームは、静止構造体に対して取り付けられるよう構成された外側フランジと、前記外側フランジに対して連結された内側ハブと、を備え、前記内側ハブは内側円筒面を備えており、
前記流路は常時閉塞されており、かつ、前記外部フレームの前記内側ハブの前記内側円筒形面と、前記弾性部材との間で、前記導入ポートと前記排出ポートとの間の弧状経路に沿って延在していることを特徴とする請求項６に記載の進行性キャビティ伝搬ポンプ。
【請求項９】
前記弾性部材は、この弾性部材を経て延在する中央配置孔を備える内側ハブを備え、
前記弾性部材はさらに、リムと、前記ハブと前記リムとの間で延在する複数の円周方向に離間したスポークと、を備え、
前記ハブ、スポークおよびリムは、第１の形状を有する複数の周方向に離間したキャビティを形成し、
前記内部フレームは、前記キャビティの前記第１の形状と相補的な第２の形状を有する複数の周方向に離間した係合部材を備え、前記係合部材のそれぞれは前記キャビティの一つの中に配置されていることを特徴とする請求項７に記載の進行性キャビティ伝搬ポンプ。
【請求項１０】
進行性キャビティ伝搬ポンプであって、
少なくとも部分的に弾性素材から構成された本体と、
導入ポートおよび排出ポートであって、それぞれ前記本体に接続された導入ポートおよび排出ポートと、
前記本体内に形成されかつ前記導入ポートと前記排出ポートとの間で延在する流路であって、前記本体の向き合う、常時接触部分の対は前記流路の常時閉塞部分を形成し、前記流路の前記常時閉塞部分は、前記導入ポートに接続された第１の端部と前記排出ポートに接続された第２の端部とを有し、前記本体は、(ａ)前記流路の前記常時閉塞部分に沿って前記向き合う本体部分を選択的に分離させ、これによって前記流路の前記常時閉塞部分の前記第１の端部においてキャビティを選択的に開放するために、そして(ｂ)選択的に前記キャビティの前方で前記向き合う本体部分を分離させると共に前記キャビティの後方で前記向き合う本体部分を再閉塞し、これによって前記流路の前記常時閉塞部分の前記第２の端部に向かってそれに沿って前記キャビティを伝播させるために、連続的に変形可能であり、前記ポンプが自由状態コンディションにあるときには前記導入ポートは前記排出ポートと流体的に切り離される流路と、
前記導入ポートから流体の塊を引き込み、そして前記流体塊を前記排出ポートに向かって伝搬させるために、前記キャビティを形成すると共にそれを伝播させるように前記本体を連続的に変形させるための手段と、
を具備してなることを特徴とする進行性キャビティ伝搬ポンプ。
【請求項１１】
前記本体の前記向き合う、常時接触部分は、常時閉塞状態でありかつ前記導入ポートと前記排出ポートとの間の実質的に直線状の経路に沿って延在するように前記流路を形成していることを特徴とする請求項１０に記載の進行性キャビティ伝搬ポンプ。
【請求項１２】
前記流路の常時閉塞部分は弧状経路に沿って延在していることを特徴とする請求項１０に記載の進行性キャビティ伝搬ポンプ。
【請求項１３】
前記本体の前記向き合う、常時接触部分は、前記本体の第１および第２の長手方向に延在する弾性部分であって、かつ、常時閉塞状態でありかつ前記導入ポートから前記排出ポートへと延在するように前記流路を形成し、前記本体の前記第１および第２の部分は、前記流路が閉塞されたときに互いに当接関係で配置され、かつ、前記キャビティを形成すると共にそれを伝搬させるために前記ポンプの動作中は局所的に互いに分離可能であることを特徴とする請求項１０に記載の進行性キャビティ伝搬ポンプ。
【請求項１４】
前記本体の前記向き合う、常時接触部分は、常時閉塞状態でありかつ前記導入ポートと前記排出ポートとの間の円形経路に沿って延在するように前記流路を形成していることを特徴とする請求項１０に記載の進行性キャビティ伝搬ポンプ。
【請求項１５】
前記本体は静止構造体に配設されるよう構成されており、前記本体はそれ自体に形成された中央配置孔を備え、
前記本体を連続的に変形させるための前記手段は、前記孔内に配置された被駆動軸を含み、
前記被駆動軸は、前記ポンプの動作中、前記孔に対してオフセットした円運動で回転し、これによって前記キャビティが形成され、かつ、その中に収容された前記流体の塊と共に、前記排出ポートへと伝搬させられるようになっていることを特徴とする請求項１４に記載の進行性キャビティ伝搬ポンプ。
【請求項１６】
前記本体は、熱可塑性素材からなる内部フレームと、前記内部フレーム上にオーバーモールドされた第１の弾性部材とを具備してなる第１のサブアセンブリを含むことを特徴とする請求項１０に記載の進行性キャビティ伝搬ポンプ。
【請求項１７】
進行性キャビティ伝搬ポンプであって、
少なくとも部分的に弾性素材から構成された本体と、
導入ポートおよび排出ポートであって、それぞれ前記本体に接続された導入ポートおよび排出ポートと、
前記本体内に形成されかつ前記導入ポートと前記排出ポートとの間で延在する流路であって、前記本体の向き合う、常時接触部分の対は前記流路の常時閉塞部分を形成し、前記ポンプが自由状態コンディションにあるときには前記導入ポートは前記排出ポートと流体的に切り離される流路と、
を具備してなり、
前記本体は、(ａ)前記流路の前記常時閉塞部分に沿って前記向き合う本体部分を選択的に分離させ、これによって前記導入ポートと流体連通状態にある前記流路の前記常時閉塞部分の一端部においてキャビティを選択的に開放するために、そして(ｂ)選択的に前記キャビティの前方で前記向き合う本体部分を分離させると共に前記キャビティの後方で前記向き合う本体部分を再閉塞し、これによって前記排出ポートと流体連通状態にある前記流路の前記常時閉塞部分の第２の端部に向かってそれに沿って前記キャビティを伝播させ、これによって前記導入ポートから流体の塊を引き込むと共にその中に収容された前記流体の塊を前記排出ポートに向かって伝搬させるために、連続的に変形可能であることを特徴とする進行性キャビティ伝搬ポンプ。
【請求項１８】
流体を送り込むための方法であって、
流体導入および流体排出ポートと、前記流体導入および流体排出ポート間に接続された流路と、前記流路の常時閉塞部分を形成する、向き合う、常時接触部分の対と、を有するポンプ本体を得るステップと、
前記流路の前記常時閉塞部分に沿って前記向き合う本体部分を選択的に分離させ、これによって前記導入ポートと流体連通状態にある前記流路の前記常時閉塞部分の第１の端部においてキャビティを選択的に開放するために、そして選択的に前記キャビティの前方で前記向き合う本体部分を分離させると共に前記キャビティの後方で前記向き合う本体部分を再閉塞し、これによって前記排出ポートと流体連通状態にある前記流路の前記常時閉塞部分の第２の端部に向かってそれに沿って前記キャビティを伝搬させるために、前記ポンプ本体を連続的に変形させることによって、前記導入ポートから流体を引き込むと共に前記排出ポートに向かって前記流体を伝播させるステップと、
を具備することを特徴とする方法。
【請求項１９】
前記キャビティを形成し、かつ、前記排出ポートに向かって、前記キャビティおよびその中に収容された前記流体を伝搬させるために、前記本体の熱可塑性部分から前記本体の弾性部分を連続的に分離させることをさらに具備することを特徴とする請求項１８に記載の方法。
【請求項２０】
進行性キャビティ伝搬ポンプであって、
少なくとも部分的に弾性素材から構成された本体と、
導入ポートおよび排出ポートであって、それぞれ前記本体に接続された導入ポートおよび排出ポートと、
前記本体内に形成されかつ前記導入ポートと前記排出ポートとの間で延在する流路であって、この流路の少なくとも一部は常時閉塞されており、前記ポンプが自由状態コンディションにあるときには前記導入ポートは前記排出ポートと流体的に接続されない流路と、
前記流路の前記常時閉塞部分内にキャビティを形成するために前記本体を連続的に変形させるための手段であって、前記キャビティは前記導入ポートと流体連通状態となり、これによって、前記キャビティ内に前記導入ポートから流体の塊を引き込み、そして前記キャビティおよびその中に収容された前記流体の塊を前記排出ポートに向かって伝搬させる手段と、
前記本体内に配置された第１の開放管路であって、近位および遠位端部を有する第１の開放管路と、を具備してなり、
前記流路は、前記排出ポートの近傍に配置された遠位端部と、前記第１の開放管路の前記遠位端部の近傍に配置された近位端部と、を有する第１の常時閉塞流路を具備してなり、
前記第１の開放管路の前記近位端部は前記導入ポートの近傍に配置されていることを特徴とする進行性キャビティ伝搬ポンプ。